(57)【特許請求の範囲】
【請求項１】
架設状態のメッセンジャーワイヤーに係止することのできる枠体と、上記枠体に所定の間隔を置いて配設され、かつコイル状ケーブルハンガーを挟持して回転可能な複数のロールを有し、上記複数のロールは、メッセンジャーワイヤーへの枠体の係止状態において、回転軸の方向がメッセンジャーワイヤーの架設方向とほぼ同一方向になるように配置され、複数のロールのうちの少くとも一つは、枠体の外方に突出する回転軸を有し、上記回転軸の先端には、回転駆動源と連結しうる自在継手が備えられ、枠体には、コイル状ケーブルハンガーを嵌装する保持体が設けられている、コイル状ケーブルハンガーの架設用工具。
【発明の詳細な説明】
【０００１】
【発明の属する技術分野】
本発明は、通信用ケーブル又は配電用ケーブル等の各種ケーブルの空中配線のために用いられるコイル状ケーブルハンガーを、メッセンジャーワイヤーに架設するための架設用工具に関する。
【０００２】
【従来の技術】
近時、有線テレビ用その他の通信用ケーブルや配電用ケーブル等の各種ケーブルを市中に配線するための手段の一つとして、合成樹脂製のコイル状ケーブルハンガーを用いることが行われている。この合成樹脂製のコイル状ケーブルハンガーとして用いるコイルは、例えば、特願平８−２２２９９３号等によって提案されているように、延伸され、かつねじりを付与された合成樹脂線条をコイル状に密着巻きにしたものである。
【０００３】
上記のようなコイル状ケーブルハンガーは、ケーブルの配線作業において、電柱間にメッセンジャーワイヤーを架線する時点で、予めその電柱間の長さに応じた長さのコイルハンガーを準備し、その中にメッセンジャーワイヤーを通した状態で、メッセンジャーワイヤーを電柱間に架線しておき、次に、コイル状ケーブルハンガーの一端を片方の電柱近くでメッセンジャーワイヤーに固定した後に、他端を引っ張ってコイルを広げ、その他端を他方の電柱近くで固定する。最後に、あらかじめコイル内に通しておいたリードロープ等でケーブルをコイル内に引き込むことにより、ケーブルの配線が行われる。ケーブルの引き込みは、１０スパン位を一度に行えるので、一度に数百メートルのケーブル配線作業を行うことができる。このように、最初に電柱間にメッセンジャーワイヤーを架線する時点で、予めその電柱に見合った長さのコイルハンガーをメッセンジャーワイヤーに外挿して置くのが、コイル状ケーブルハンガーの基本的な使用方法である。
【０００４】
【発明が解決しようとする課題】
しかし、ケーブルの新設の時には、電柱間にメッセンジャーワイヤーを架線する時点でコイルを通しておけるが、ケーブルだけの張り替え工事などの場合には、すでにメッセンジャーワイヤーが張られてしまっているので、コイルを人手でメッセンジャーワイヤーに外挿しなければならなかった。短いコイルの場合は、人手でコイルの外挿作業を行うこともできるが、長いコイルの場合には、コイルが絡まってしまったり、足場の悪い高所での複数の人手による作業を必要とする等の問題があり、このため、ケーブル張り替え作業の際の煩雑さが、コイル状ケーブルハンガーの使用上の問題点とされていた。
【０００５】
本発明の目的は、一人の作業者によって、作業者の安全性を確保することができて、しかも作業効率の良い、コイル状ケーブルハンガーを用いたケーブルの張り替えを可能にする、架設用工具を提供することである。
【０００６】
【課題を解決するための手段】
本発明にかかる架設用工具は、コイル状ケーブルハンガーをメッセンジャーワイヤーに外挿するために、コイルの巻き線の一端を挟んで繰り出す、複数の回転ロールと、コイル状ケーブルハンガーを嵌装する保持体から構成されている。
【０００７】
一般に、メッセンジャーワイヤーのように直線状にのびる線体に、コイル状ケーブルハンガーのような密着巻きコイルを外挿するには、密着巻きコイルの端を開いて、コイルの巻線と巻線との間に直線体を挟み込み、その状態でコイルを回転させれば、コイルは、一回転ごとに一巻き分ずつ前進しながら直線物に外挿され、ついには、直線体がコイルを貫通した状態になる。
【０００８】
しかし、コイル状ケーブルハンガーのような合成樹脂線のコイルは、コイル素線の曲げ・ねじれ剛性が金属の十分の一以下で柔らかいので、あらかじめ架線されたメッセンジャーワイヤーに後からコイル状ケーブルハンガーを外挿するために、コイル全体を安定的に回転させることは難しい。特にコイルが長い場合は、コイルの形状が崩れて絡まったり、コイル端が踊って外の線に引っかかったりするため、高所での作業中にコイル全体を回転させることは、事実上不可能であった。
【０００９】
このため、本発明においては、コイルの巻線を複数のロール間に挟み込み、ロールの回転によってコイルの巻線を繰り出すと共に、コイル状ケーブルハンガーを、それが嵌装されている保持体に沿って回転させるようにした工具を用いることにした。コイル状ケーブルハンガー全体が回転しながら前方に送られる際、コイルの末端が踊って絡まるおそれがあるので、コイル状ケーブルハンガーを嵌装保持体に差し込んで暴れを矯正し、絡まりの防止を図った。また、この保持体を円弧状に曲げれば、場所を取らず、しかも重心を下げることが出来るので、工具の揺れが少なくなり、安定した作業が出来る。
【００１０】
このようにすれば、比較的柔らかい合成樹脂線コイルを容易に回転させることができるばかりでなく、複数の回転ロールとコイル状ケーブルハンガーを嵌装する保持体を備える簡易な架設用工具を携えれば、一人の作業者によっても、長いコイル状ケーブルハンガーの架設を、容易に行うことができるからである。
【００１１】
また、一人の作業者によって架設作業を行うためには、作業者が作業用の諸工具と共に架設すべきコイル状ケーブルハンガーを携帯しなければならないが、長くて扱い難いコイル状の物体を工具と共に携帯し、高所で工具とコイルの双方を操って架設作業を行うことは容易ではない。このため、前記のように、コイル嵌装保持体にコイルを嵌装しておけば、工具と同時にコイルを携帯することができ、架設作業開始のときは、保持体に嵌装されているコイルの端を引き出して回転ロールの間に挟めばよいことになる。
【００１２】
さらに、本発明においては、工具が備える複数の回転ロールのうち、駆動源と連結される駆動ロールの回転軸には、動力伝達のための、方向変換の自由な自在継手（ユニバーサル・ジョイント）を設けることとした。工具のロールの回転は、駆動ロールの回転軸を、携帯用動力源（例えば電動ドライバー）の回転軸に連結することによって行われるが、高所での作業に際して、動力源の回転軸の方向を常に工具のロールの回転軸の方向と一致させることは困難かつ危険を伴うことだからである。
【００１３】
すなわち、本発明のコイル状ケーブルハンガー架設用工具は、枠体と、枠体の枠内に所定の間隔をおいて配設された回転可能な複数のロールとを有し、複数のロールのうちの少くとも一つは、枠体の外方に突出する回転軸を有し、上記回転軸の先端には、回転駆動源と連結しうる自在継手が備えられ、上記枠体には、コイルを嵌装する保持体が設けられている、構成を有するものである。
【００１４】
【発明の実施の態様】
図１ないし図３に、本発明の１実施例の工具を示す。図１ないし図３において、工具Ａは、枠体１と、２つの回転ロール（上部回転ロール２及び下部回転ロール３）を有している。枠体１は頂辺部４、底辺部５、側辺部６及び７を有し、各辺部によって囲まれた開放空間８が形成され、開放空間８内に、上部回転ロール２及び下部回転ロール３が回転可能な状態で配置されている。
枠体１の、頂辺部４、底辺部５、側辺部６及び７は、図２に示すように、ボルトで固定されている。
【００１５】
各回転ロールは、それぞれ、回転軸（回転軸９又は回転軸１０）を有し、各回転軸は、いずれも、枠体１の側辺部６及び７に、２つの軸受（１１ａ、１１ｂ又は１２ａ、１２ｂ）を介して、回転可能に取り付けられている。上部回転ロール２の回転軸９を支持する軸受１１ａ及び１１ｂは、いずれも、枠辺部６及び７に固定されているが、下部回転ロール３の回転軸１０を支持する軸受１２ａ及び１２ｂは、いずれも、その取付位置を、側辺部６及び７に沿って上下に移動しうるようになっている。側辺部６及び７に形成されている長孔１３ａ及び１３ｂは、軸受１２ａ又は１２ｂの取付位置の移動に伴う回転軸支持位置の上下移動を許容するための長孔である。軸受１２ａ及び１２ｂの下方に、側辺部６及び７に沿って配設されているボルト１４ａ及び１４ｂは、それぞれ、軸受１２ａ及び１２ｂの取付位置を調節するためのネジである。軸受１２ａ及び１２ｂは、いずれも、その上方に配設されたスプリング２６によって下方に押圧付勢されている。
【００１６】
下部回転ロール３の回転軸１０の一端１０ａは、側辺部７から外方に突出しており、その先端にユニバーサル・ジョイント１５が取り付けられ、ユニバーサル・ジョイント１５の駆動軸側の端部１６は、図３に示すように、回転駆動源の装置１７（たとえば電動ドライバー）に係着しうるようになっている。
【００１７】
枠体１の側辺部の上部外側（上部回転ロール２が取り付けられている位置の側方）には、コイル状ケーブルハンガー２５を嵌装保持するためのガイドパイプ１９が、側辺部６に固定されている台座１８を介して取り付けられ、また、頂辺部４には、係止溝４ａが形成され、頂辺部４の上側に工具Ａをメッセンジャーワイヤー２０に引掛け保持するための、係止蓋２２が取り付けられている。ガイドパイプ１９は、図３に示すように、円弧状に湾曲した状態でのびている。係止蓋２２は長ボルト２３によって頂辺部４に固定されているが、長ボルト２３を支点にして回転できるようになっている。係止蓋２２を回転によってずらして係止溝４ａを開け、メッセンジャーワイヤー２０を係止溝４ａに入れて係止蓋２２を閉じれば、工具Ａをメッセンジャーワイヤー２０に引っかけることができる。長ボルト２４は、係止蓋２２のストッパーである。長ボルト２３及び２４は、コイルの遊び及び倒伏防止のためのガイドとして、工具Ａの上部に突き出るように立てておく。
【００１８】
上記実施例の工具を用いてコイル状ケーブルハンガーを架設する作業は、次のように行われる。
【００１９】
まず、ガイドパイプ１９には予めコイル状ケーブルハンガー２５を嵌装しておき、この状態の工具を、図３に示すように、既に張設されているメッセンジャーワイヤー２０を係止溝４ａに挿通することにより、メッセンジャーワイヤーに係止する。次に、コイル状ケーブルハンガーの一端（枠体１に近接している側の一端）を開いて、コイルの先端を上部ロール２と下部ロール３との間に挟み込み、さらにその先端を、コイルがメッセンジャーワイヤーを巻き込んでその先端が枠の外側に達する位置まで前進させる。この状態で、電動ドライバー１７の電源をＯＮとすると、ドライバーの回転により、ユニバーサル・ジョイント１５を介して下部ロール３が回転し、それによって、下部ロール３と上部ロール２との間に挟まれているコイル線条が回転しながら前進する。またその際、ガイドパイプに嵌挿された部分のコイルハンガーもコイル全体が高速で回転しても絡まることなく回転しながらロール方向に前進していく。またこのガイドパイプが円弧状に曲がっていることにより場所を取らず、しかも重心が下部に有るので工具の揺れは少ない。
【００２０】
ロール３の回転を継続すると、コイルはその終端に至るまでメッセンジャーワイヤーを巻き込み、コイル内にメッセンジャーワイヤーが挿入された状態となる。次に、コイルの両端を引っ張って電柱近くで固定し、ケーブルをコイル内に引き込んで架設を完了することができる。
【００２１】
【発明の効果】
本発明の架設用工具を用いれば、一人の作業者が工具とコイル状ケーブルハンガーを同時に携帯して高所である作業個所に赴き、高所におけるコイル状ケーブルハンガーの架設とケーブルの張り替えを、安全かつ効率的に行うことができる。
これによって、従来はケーブル張り替え作業に際しての困難性が難点とされていたコイル状ケーブルハンガーの使用上の問題点を解消することができる。
【図面の簡単な説明】
【図１】本発明の架設用工具の本体部分の一実施例の正面図。
【図２】図１の架設用工具の分解図。
【図３】図１の架設用工具の使用状態図。
【符号の説明】
Ａ          ……  コイル状ケーブルハンガー架設用工具
１          ……  枠体
２          ……  上部回転ロール
３          ……  下部回転ロール
４          ……  頂辺部
４ａ        ……  係止溝
５          ……  底辺部
６，７      ……  側辺部
８          ……  開放空間
９，１０    ……  回転軸
１１，１２  ……  軸受
１３        ……  長孔
１４        ……  ボルト
１５        ……  ユニバーサル・ジョイント
１６        ……  ユニバーサル・ジョイントの端部
１７        ……  回転駆動装置
１８        ……  台座
１９        ……  ガイドパイプ
２０        ……  メッセンジャーワイヤー
２２        ……  係止蓋
２３，２４  ……  ボルト
２５        ……  コイル状ケーブルハンガー
２６        ……  スプリング
【図１】
0003540141.tif 000002
【図２】
0003540141.tif 000003
【図３】
0003540141.tif 000004